(57)【要約】      （修正有）【課題】構造が安定で強度が高く、土圧等に対して強いと共に、間隙を空けてブロックを配置することにより、使用するブロックの量や空隙組立体のサイズおよび強度を容易に調整できる貯水施設を提供する。【解決手段】複数のブロックを有する空隙組立体１０と、空隙組立体１０に支持される複数の柱部材１５、１６と、空隙組立体１０の上部に載置された天井２０を有し、柱部材１５、１６の上端を天井２０に固定して貯水施設を構成する。【選択図】図４
2019044382.tif 000002
【特許請求の範囲】
【請求項１】
複数のブロックを有する空隙組立体と、
前記空隙組立体に固定された複数の柱部材と、
前記空隙組立体の上に配置された天井を有し、
前記柱部材の上端を前記天井に固定したことを特徴とする貯水施設。
【請求項２】
前記天井に凹部が形成され、前記柱部材の上端が前記凹部に収容されている、請求項１の貯水施設。
【請求項３】
前記ブロックは、水平方向に間隔を空けて配列されている、請求項１又は２貯水槽地。
【請求項４】
水平方向に隣接する前記ブロックを連結する連結部材を更に有し、
前記柱部材は、前記連結部材に形成された開口に挿通されている、請求項１〜３のいずれかの貯水施設。
【請求項５】
前記柱部材は、前記ブロックに形成された開口に挿通されている、請求項１〜４のいずれかの貯水施設。
【請求項６】
前記空隙組立体の周囲に立設された前記空隙組立体よりも背が高い外周壁を更に有し、
前記天井は、前記外周壁に架設されている、請求項１〜４のいずれかに記載の貯水施設。
【発明の詳細な説明】
【技術分野】
【０００１】
本発明は、雨水等を貯留又は浸透させるための貯水施設に関する。
【背景技術】
【０００２】
窪地等に複数のブロックを立体配置した高空隙率の空隙組立体を設置し、土で埋戻すことで雨水の貯留空間を形成した貯水施設が知られている（特許文献１，２）。この貯水施設は、低コストであり、空隙組立体の空隙に大量の貯水が可能である。特許文献７は、ブロックを水平方向に間隔を空けて配置して連結部材を用いて連結することで、資材量を削減することを提案する。
【先行技術文献】
【特許文献】
【０００３】
【特許文献１】特開２００４−２１１３１６号公報
【特許文献２】特開２０１２−０９２５５２号公報
【特許文献３】特開平１０−２５２１０８号公報
【特許文献４】特開平１１−２２２８８６号公報
【特許文献５】特開２００８−２８０７７５号公報
【特許文献６】特開２００７−３３２６９２号公報
【特許文献７】特開２０１０−０４８０１０号公報
【発明の概要】
【発明が解決しようとする課題】
【０００４】
特許文献１，２は、多量の資材を要する問題がある。引用文献７は、連結部材の寸法が決まっているので、空隙組立体の微妙なサイズ調整が難しい。引用文献１，２，７は、いずれもプラスチック製のブロックだけで構造を支えているので、土圧等に対する強度が充分でない。
【課題を解決するための手段】
【０００５】
本願には、下記発明が開示される。
＜構成１＞
複数のブロックを有する空隙組立体と、
前記空隙組立体に固定された複数の柱部材と、
前記空隙組立体の上に配置された天井を有し、
前記柱部材の上端を前記天井に固定したことを特徴とする貯水施設。
＜構成２＞
前記天井に凹部が形成され、前記柱部材の上端が前記凹部に収容されている、構成１の貯水施設。
＜構成３＞
前記柱部材は、前記ブロックに形成された開口に挿通されている、構成１又は２の貯水施設。
＜構成４＞
水平方向に隣接する前記ブロックを連結する連結部材を更に有し、
前記柱部材は、前記連結部材に形成された開口に挿通されている、構成１〜３のいずれかの貯水施設。
＜構成５＞
前記空隙組立体の周囲に立設された前記空隙組立体よりも背が高い外周壁を更に有し、
前記天井は、前記外周壁に架設されている、構成１〜４のいずれかに記載の貯水施設。
【図面の簡単な説明】
【０００６】
【図１】図１は、本発明の１実施形態の貯水施設１を示す。
【図２】図２は、例示的なブロック１１の斜視図、平面図及び側断面図を示す。
【図３】図３は、ブロック１１を連結するための連結部材１２を示す。
【図４】図４（ａ）は、空隙組立体１０を側方から示し、図４（ｂ）は、空隙組立体１０を上方から示す。
【図５】図５は、外周壁４０の斜視図を示す。
【図６】図６は、支持部材５０の斜視図、平面図及び側断面図を示す。
【図７】図７は、天井２０の架設方法を示す。
【図８】図８は、ブロック１１の形状例を示す。
【図９】図９は、変形形態のブロック１１Ａを示す。
【図１０】図１０は、変形形態の連結部材１３Ａの平面図及び側面図を示す。
【図１１】図１１は、変形形態の空隙組立体１０Ａを示す。
【発明を実施するための形態】
【０００７】
図１は、本発明の１実施形態の貯水施設１を示す。貯水施設１は、空隙組立体１０と空隙組立体１０の上に載置された天井２０を有する。天井２０は、コンクリート・鉄筋コンクリート等の剛性材料（耐クリープ性の硬質材料）で形成するのがよい。貯水施設１は、窪地２に設置するのが好ましい。窪地２内の貯水施設１の周囲の空間は、地面３まで土で埋め戻すと、貯水施設１の上の空間を駐車場や公園等任意の目的で利用できる。空隙組立体１０の下地４は、砕石層や基礎コンクリート層とするとよい。貯水施設１は、図示しない流入管、流出管、溢流管、泥だめます、オリフィスなど必要に応じた付帯設備を有し得る。
【０００８】
空隙組立体１０は、複数のブロックで形成される。ブロックは、空隙を形成できるよう、凹凸形状がよい。図２は、例示的なブロック１１の斜視図、平面図及び側断面図を示す。図のブロック１１は、基部と、基部から上に延びる４本の脚１１ａを有する。脚１１ａは、中空の柱状又は錐台状の形状であり、貫通孔１１ｂを有する。ブロック１１は、他の形状でもよい（例えば、特許文献３〜５や図８ａ、ｂ）。
【０００９】
図３は、ブロック１１を連結するための連結部材１２を示す。連結部材１２は、開口１２ａを有する。連結部材１２は、ブロック１１と連結する連結構造１２ｂを有するとよい。ブロック１１の連結は、他の方法（例えば、特許文献６）で行ってもよい。
【００１０】
ブロック１１及び連結部材１２は、硬質のプラスチック等で形成するとよい。
【００１１】
図４（ａ）は、空隙組立体１０を側方から示し、図４（ｂ）は、空隙組立体１０を上方から示す。図のように、空隙組立体１０では、複数のブロック１１が立体配列（前後左右上下に配列）されている。特に、水平方向では、隣接するブロック１１の間に間隔Ｗがあり、その間が連結部材１２で連結されている。隙間Ｗがすべて同じである必要はない。垂直方向の配列は任意であるが、本例では、ブロック１１が一列に積み上げられている。空隙組立体１０では、ブロック１１の脚１１ａの間に空隙Ｗが形成されるので、大量の貯水が可能である。空隙組立体１０は、耐水性又は透水性のシート（不図示）で覆ってもよい。
【００１２】
空隙組立体１０には、複数の柱部材１５，１６が固定されている。本例では、複数の柱部材１５は、ブロック１１の開口１１ｂに挿通されており、複数の柱部材１６は、連結部材１２の開口１２ａに挿通されている。柱部材１５，１６は、コンクリート又は鉄筋コンクリートで形成できる。塩ビ等のパイプにコンクリートを流し込んだ柱部材１５が特に好ましい。
【００１３】
空隙組立体１０の上部には、天井２０が載置されおり、柱部材１５，１６の上端は、天井２０に固定されている。天井２０に形成された凹部に柱部材１５，１６の上端を挿入保持することで柱部材１５，１６を固定するとよい。
【００１４】
好ましい一態様では、空隙組立体１０の周囲に複数の外周壁４０が配置される。外周壁４０は、空隙組立体１０よりも背が高い。各外周壁４０は、支持部材５０で支持するとよい。図４に示すように、支持部材５０は、図３に示すように、ブロック積層体１３の間の隙間Ｗに配置するとよい。天井２０は、各外周壁４０の上端に架設するとよい。
【００１５】
図５は、外周壁４０の斜視図を示す。外周壁４０は、下部両側に切欠４１を有する。図６は、支持部材５０の斜視図、平面図及び側断面図を示す。支持部材５０は、上面に係合凹部５１を有する。隣接外周壁４０の間に支持部材４０を配置し、切欠４１と係合凹部５１を一致させて係合凹部５１に外周壁４０を挿入することで、相欠き継ぎ式で支持部材５０に外周壁４０を固定することができる。
【００１６】
外周壁４０の内面と下地４の上を遮水シートで覆うと貯水施設１に貯水できる。浸透槽として使用する場合は、浸透シートで覆ってもよい。
【００１７】
図７は、天井２０の架設方法の例を示す。空隙組立体１０、柱部材１５，１６及び外周壁４０を設置した後に、図７（ａ）のように、それらの上部を保護シート６０で覆い、図７（ｂ）のように、その上から生コンクリート２０を打設して硬化させる。これにより、天井２０に凹部２１ａ，２１ｂ，２１ｃが形成され、そこに柱部材１５，１６、外周壁４０の上端が収容（埋設）保持される。本方法によれば、天井２０と柱部材１５，１６（又は外周壁４０）が保護シート６０で縁切りされているため、将来柱部材１５，１６（又は外周壁４０）の取り替え／取り外しが必要になったときに、容易に取り替え／取り外しが可能である。
【００１８】
貯水施設１では、柱部材１５，１６の上端を天井２０に固定したため、構造が安定で強度が高く、土圧等（図１矢印参照）に対して強くなる。しかも、間隔Ｗを空けてブロック１１を配置したので、ブロック１１の使用量を削減できる。間隔Ｗを増減させることで、ブロック１１の使用量や空隙組立体１０のサイズ・強度を容易に調整できる。よって、貯水施設１の上の空間の利用態様（駐車場、運動場、建物等）や資材削減の必要度を勘案して適切な強度の貯水施設１を容易に設計できる。空隙組立体１０の周囲に外周壁４０を設け、外周壁４０に天井２０を架設すれば、強度を一層高くできる。外周壁４０の幅Ｗ１は、間隔Ｗに応じて調節するとよい。
【００１９】
図９〜１１は、変形形態のブロック１１Ａ、連結部材１２Ａ及び空隙組立体１０Ａを示す。図９のように、中央に開口１１ｃを有するブロック１１Ａを使用してもよい。図１０のように、形状の異なる連結部材１２Ａを使用してもよい。図１１のように、空隙組立体１１Ａでは、柱部材１５Ａは、ブロック１１Ａの開口１１ｃに挿通され、柱部材１６Ａは、連結部材１２Ａの開口１２ａに挿通されている。
【００２０】
上記実施形態では、柱部材１５，１６は下地４の表面に載置された状態であるが、柱部材１５，１６の下端を下地４に埋設してもよい。柱部材１５，１６の一方を省略してもよい。
【００２１】
上記実施形態に記載した貯水施設やその要素の寸法、形状、配置、個数、材料等は例示であり、他の態様も可能である。
【符号の説明】
【００２２】
１・・・貯水施設
２・・・窪地
３・・・地面
４・・・下地
１０・・・空隙組立体
１１・・・ブロック
１１ａ・・・脚
１１ｂ・・・開口
１２・・・連結部材
１２ａ・・・開口
１２ｂ・・・嵌合構造
１５，１６・・・柱部材
２０・・・天井
２１ａ，２１ｂ，２１ｃ・・・凹部
４０・・・外周壁
４１・・・切欠
５０・・・支持部材
５１・・・係合凹部
５０・・・保護シート
【図１】
2019044382.tif 000003
【図２】
2019044382.tif 000004
【図３】
2019044382.tif 000005
【図４】
2019044382.tif 000006
【図５】
2019044382.tif 000007
【図６】
2019044382.tif 000008
【図７】
2019044382.tif 000009
【図８】
2019044382.tif 000010
【図９】
2019044382.tif 000011
【図１０】
2019044382.tif 000012
【図１１】
2019044382.tif 000013